(57)【特許請求の範囲】
【請求項１】
被取付部材を取り付けるための取付ボルトが螺合する雌ねじ部を有するアンカー本体と、取付ボルトが挿通される取付ボルト挿通体と、取付ボルトが挿通されるとともに、アンカー本体の一端と取付ボルト挿通体の一端を接続する継手と、取付ボルト挿通体の他端に着脱自在に装着され、コンクリート構造物の穴の周辺部と係合してアンカー本体の埋設深さを制限する埋設深さ制限体とを備え、アンカー本体と取付ボルト挿通体を無機質材により形成し、一体化されたアンカー本体、継手、取付ボルト挿通体及び埋設深さ制限体をアンカー本体を先端にしてコンクリート構造物の穴内に無機質材からなる接着固定材を介して埋設固定したことを特徴とするアンカー器具。
【請求項２】
アンカー本体をセラミックスにより形成したことを特徴とする請求項１記載のアンカー器具。
【請求項３】
取付ボルト挿通体をセラミックスまたはモルタルにより形成したことを特徴とする請求項１または２記載のアンカー器具。
【請求項４】
継手は、コンクリート構造物の穴の内周と係合して芯出しする複数の突出部を有することを特徴とする請求項１〜３のいずれかに記載のアンカー器具。
【請求項５】
埋設深さ制限体は、コンクリート構造物の穴の周辺部と係合して埋設深さを制限する複数の突出部を有することを特徴とする請求項１〜４のいずれかに記載のアンカー器具。
【請求項６】
埋設深さ制限体は、コンクリート構造物の穴の内周と係合して芯出しする複数の係合部を有することを特徴とする請求項１〜５のいずれかに記載のアンカー器具。
【発明の詳細な説明】
【０００１】
【発明の属する技術分野】
この発明は、コンクリート構造物の穴内に埋設されるアンカー器具に関するものである。
【０００２】
【従来の技術】
コンクリート構造物に穴を掘削し、穴内に埋設されるアンカー器具として、発明者等が提案した特開平９−２１７４２８号公報、特開平９−２２８４８５号公報等に示されたものがある。図８は特開平９−２１７４２８号公報に示されたアンカー器具の埋設時の断面図を示し、１は樽形状のアンカー本体であり、セラミックスにより形成され、中心には被取付部材を取り付けるための取付ボルトが螺合する雌ねじ部１ａが設けられている。２は先端部に雄ねじ部２ａが設けられるとともに、根元寄り部分に鍔部２ｂが形成された鉄製のガイド棒であり、鍔部２ｂには樹脂の注入口２ｃ及び排気口２ｄが設けられている。
【０００３】
アンカー本体１の埋設に際しては、まずアンカー本体１の雌ねじ部１ａにガイド棒２の雄ねじ部２ａを螺合し、この状態でアンカー本体１をコンクリート構造物３に設けた穴３ａに挿入する。このとき、ガイド棒２の鍔部２ｂは穴３ａの周辺部と係合し、アンカー本体１の位置決めのためのストッパの役目をする。次に、樹脂からなる接着固定材４を注入口２ｃから穴３ａ内に注入し、穴３ａ内に充填する。接着固定材４の固化後、ガイド棒２を回転させて抜き取ると、接着固定材４にアンカー本体１が埋設されるとともに、挿通穴４ａが形成される。そこで、被取付部材に挿通した取付ボルトを挿通穴４ａに挿通し、アンカー本体１の雌ねじ部１ａに螺合することにより、被取付部材はコンクリート構造物３に取り付けられる。
【０００４】
図９は特開平９−２２８４８５号公報に示されたアンカー器具の断面図を示し、アンカー器具はアンカー本体１と、位置決め具５と、図示しない保持具とから構成される。位置決め具５は略円錐台状に形成され、その中心には取付ボルト挿通穴５ａが設けられるとともに、大径端にはコンクリート構造物３の穴３ａと嵌合する嵌合部５ｂが設けられ、また中心から放射状にスリット５ｃが設けられている。
【０００５】
アンカー本体１の埋設に際しては、まず保持具によりアンカー本体１及び位置決め具５を一体化したものを穴３ａ内に挿入する。この際、保持具に設けた鍔部が穴３ａの周辺部と係合し、アンカー本体１の埋設深さが決定される。次に、穴３ａ内に樹脂からなる接着固定材４を注入すると、接着固定材４は穴３ａ内の空間及び位置決め具５のスリット５ｃに充填される。接着固定材４の固化後、保持具を抜き取る。これにより、位置決め具５及びアンカー本体１は穴３ａ内に埋設される。そこで、被取付部材６に挿通した取付ボルト７を取付ボルト挿通穴５ａに挿通し、アンカー本体１の雌ねじ部１ａに螺合することにより、被取付部材６はコンクリート構造物３に取り付けられる。
【０００６】
【発明が解決しようとする課題】
上記した従来のアンカー器具においては、既存のコンクリート構造物３に穴３ａを設け、この穴３ａにアンカー器具を設けることができるという利点はあるが、被取付部材６を取り付けない状態ではコンクリート構造物３の表面に樹脂からなる接着固定材４が露出しており、耐熱、耐火性の点で問題があった。
【０００７】
この発明は上記のような課題を解決するために成されたものであり、耐熱、耐火性が劣る樹脂などがコンクリート構造物の外表面に露出することがなくなり、耐熱、耐火性を向上することができるアンカー器具を得ることを目的とする。
【０００８】
【課題を解決するための手段】
この発明の請求項１に係るアンカー器具は、被取付部材を取り付けるための取付ボルトが螺合する雌ねじ部を有するアンカー本体と、取付ボルトが挿通される取付ボルト挿通体と、取付ボルトが挿通されるとともに、アンカー本体の一端と取付ボルト挿通体の一端を接続する継手と、取付ボルト挿通体の他端に着脱自在に装着され、コンクリート構造物の穴の周辺部と係合してアンカー本体の埋設深さを制限する埋設深さ制限体とを備え、アンカー本体と取付ボルト挿通体を無機質材により形成し、一体化されたアンカー本体、継手、取付ボルトに挿通体及び埋設深さ制限体をアンカー本体を先端にしてコンクリート構造物の穴内に無機質材からなる接着固定材を介して埋設固定したものである。
【０００９】
請求項２に係るアンカー器具は、アンカー本体をセラミックスにより形成したものである。セラミックスは、例えばアルミナ、ジルコニア、炭化珪素、窒化珪素などにより形成される。
【００１０】
請求項３に係るアンカー器具は、取付ボルト挿通体をセラミックスまたはモルタルにより形成したものである。セラミックスの場合には、例えばアルミナセラミックスあるいはムライトセラミックスにより形成される。
【００１１】
請求項４に係るアンカー器具は、継手にコンクリート構造物の穴の内周と係合して芯出しする複数の突出部を設けたものである。
【００１２】
請求項５に係るアンカー器具は、埋設深さ制限体にコンクリート構造物の穴の周辺部と係合して埋設深さを制限する複数の突出部を設けたものである。
【００１３】
請求項６に係るアンカー器具は、埋設深さ制限体にコンクリート構造物の穴の内周と係合して芯出しする複数の係合部を設けたものである。
【００１４】
【発明の実施の形態】
実施形態１
以下、この発明の実施の形態を図面とともに説明する。図１はこの発明の実施形態１によるアンカー器具の埋設時の断面図、図２は各構成部材の分離状態の正面図を示し、８はアルミナセラミックスからなるアンカー本体であり、中心には取付ボルト７が螺合する雌ねじ部８ａが設けられるとともに、その一端には雌ねじ部８ａより大径の嵌合穴８ｂが設けられている。９はアルミナセラミックスまたはモルタルからなる筒状の取付ボルト挿通体であり、取付ボルト７が挿通され、その一端には大径の嵌合穴９ａが設けられている。１０はポリプロピレンなどの樹脂からなる筒状の継手であり、内部には取付ボルト７が挿通されるとともに、その両端はアンカー本体８の嵌合穴８ｂ及び取付ボルト挿通体９の嵌合穴９ａと嵌合され、この両者を接続する。又、継手１０の外周にはコンクリート構造物３の穴３ａの内周と係合して芯出しする複数の突出部１０ａが設けられている。
【００１５】
１１はポリプロピレンなどの樹脂により形成された埋設深さ制限体であり、その本体部１１ａは取付ボルト挿通体９の他端に着脱自在に嵌合し、本体部１１ａの外周にはコンクリート構造物３の穴３ａの周辺部と係合して埋設深さを制限する複数の突出部１１ｂが設けられている。１２はポリプロピレンなどの樹脂からなるキャップであり、アンカー本体８の他端に嵌合される。
【００１６】
次に、上記構成のアンカー器具の埋設方法を図３（ａ）〜（ｂ）により説明する。まず、図３（ａ）に示すように、コンクリート構造物３に穴３ａをあけ、内部を清掃する。次に、図３（ｂ）に示すように、透水性容器に充填された無機質系の接着固定材１３、例えばモルタルからなる接着固定材１３を穴３ａ内に挿入する。ただし、接着固定材１３は予め容器１４中の水に浸して活性化させておく。この際、接着固定材１３は吸水して膨張する。なお、この接着固定材１３は特開昭５９−１６１６００号、特開昭５９−２２０６００号、特開昭６４−３６８９９号などの各公報に示されたカートリッジタイプのものである。
【００１７】
次に、図３（ｃ）に示すように、一体化された埋設深さ制限体１１、取付ボルト挿通体９、継手１０、アンカー本体８、及びキャップ１２をキャップ１２を先端にして穴３ａ内に挿入する。このとき、埋設深さ制限体１１の突出部１１ｂが穴３ａの周辺部と係合し、アンカー本体８の埋設深さを決定する。又、一体化された各部材８〜１２の挿入により、図３（ｄ）に示すように、接着固定材１３の透水性容器が破壊され、接着固定材１３は穴３ａ内の空間に充填される。このとき、各突出部１０ａ，１１ｂは接着固定材１３の流動路を形成する。接着固定材１３の固化後、埋設深さ制限体１１を取り外し、図４に示すように、被取付部材６に挿通した取付ボルト７を取付ボルト挿通体９及び継手１０に挿通し、アンカー本体８の雌ねじ部８ａに螺合することにより、被取付部材６をコンクリート構造物３に取り付ける。
【００１８】
実施形態１においては、コンクリート構造物３の表面に露出する取付けボルト挿通体９及び接着固定材１３を無機質材により形成しており、耐熱、耐火性に劣る樹脂などがコンクリート構造物３の表面に露出することはなく、耐熱、耐火性に優れたアンカー器具が得られる。又、継手１０に穴３ａの内周と係合する複数の突出部１０ａを設けたので、アンカー器具を穴３ａ内の中心に位置させることができ、埋設強度を高めることができる。又、埋設深さ制限体１１に穴３ａの周辺部と係合する複数の突出部１１ｂを設けたので、アンカー本体８の埋設深さを制限することができる。又、各突出部１０ａ間、及び突出部１１ｂ間の空間は接着固定材１３の流動路となるので、接着固定材１３の流動性（穴３ａ外への流出も含む。）を確保することができる。又、継手１０の長さを変えることにより、アンカー本体８の埋設深さを変更することができる。
【００１９】
なお、継手１０を樹脂により形成したが、継手１０は穴３ａ内の深い位置にあるので、耐熱性、耐火性に悪影響を与えない。又、埋設深さ制限体１１も樹脂により形成したが、埋設深さ制限体１１は被取付部材６を取り付ける際には除去されるので、耐熱、耐火性に影響を与えない。又、埋設強度制限体１１は被取付部材６を取り付けない状態では取付ボルト挿通体９の外端に装着され、ゴミなどの侵入を防止する。
実施形態２
図５及び図６は実施形態２によるインサート器具の埋設時の断面図及び各構成部材の分離状態の正面図を示し、樹脂からなる埋設深さ制限体１１は本体部１１ａ、突出部１１ｂの他に、各突出部１１ｂから軸方向に突出して、穴３ａの内周と係合して芯出しする複数の係合部１１ｃを有している。その他の構成は実施形態１と同様である。
【００２０】
実施形態２においては、埋設深さ制限体１１に穴３ａの内周と係合する複数の係合部１１ｃを設けたので、アンカー器具は継手１０の突出部１０ａ及び埋設深さ制限体１１の係合部１１ｃによって芯出しが行われるので、接着固定材１３が均一化され、埋設強度をより高めることができる。その他の効果は実施形態１と同様である。
【００２１】
図７は実施形態２による埋設深さ制限体１１の変形例を示し、係合部１１ｃは、穴３ａの内周及び取付ボルト挿通体９の外周と係合している。従って、本体部１１ａは取付ボルト挿通体９の内周と嵌合させる必要がないので、本体部１１ａと取付ボルト挿通体９の外端とは単に当接させるだけとしたものである。
【００２２】
【発明の効果】
以上のようにこの発明の請求項１〜３，５によれば、コンクリート構造物の表面に露出する取付ボルト挿通体及び接着固定材を無機質材により形成しており、耐熱、耐火性に劣る樹脂などがコンクリート構造物の表面に露出することはなく、耐熱、耐火性に優れたアンカー器具が得られる。又、コンクリート構造物の穴の周辺部と係合する埋設深さ制限体を設けたので、アンカー本体の埋設深さを所定のものにすることができる。
【００２３】
又、請求項４によれば、継手にコンクリート構造物の穴の内周と係合する複数の突出部を設けたので、継手を含むアンカー器具を穴の中心に位置させることができ、埋設強度を高めることができる。
【００２４】
又、請求項６によれば、埋設深さ制限体に穴の内周と係合する複数の係合部を設けたので、アンカー器具の外端側を穴の中心に位置させることができ、埋設強度を高めることができる。
【図面の簡単な説明】
【図１】この発明の実施形態１によるアンカー器具の埋設時の断面図である。
【図２】実施形態１によるアンカー器具の各構成部材の分離状態の正面図である。
【図３】実施形態１によるアンカー器具の埋設方法の説明図である。
【図４】実施形態１によるアンカー器具の被取付部材の取付状態の断面図である。
【図５】実施形態２によるアンカー器具の埋設時の断面図である。
【図６】実施形態２によるアンカー器具の各構成部材の分離状態の正面図である。
【図７】実施形態２の変形例による埋設深さ制限体の正面図である。
【図８】従来のアンカー器具の埋設時の断面図である。
【図９】従来の他のアンカー器具の被取付部材の取付時の断面図である。
【符号の説明】
３…コンクリート構造物
３ａ…穴
６…被取付部材
７…取付ボルト
８…アンカー本体
８ａ…雌ねじ部
９…取付ボルト挿通体
１０…継手
１０ａ，１１ｂ…突出部
１１…埋設深さ制限体
１１ｃ…係合部
１３…接着固定材
【図１】
0003771134.tif 000002
【図２】
0003771134.tif 000003
【図３】
0003771134.tif 000004
【図４】
0003771134.tif 000005
【図５】
0003771134.tif 000006
【図６】
0003771134.tif 000007
【図７】
0003771134.tif 000008
【図８】
0003771134.tif 000009
【図９】
0003771134.tif 000010